(57)【要約】【課題】  梱包を解いた後の梱包材をケーブルを巻き付けるためのコードリールとして使用でき、ケーブルのたるみを吸収できるコードリールとして再利用でき、資源の再使用ができるＡＶ機器の梱包材コードリール及び電化製品の梱包材コードリールを提供する。【解決手段】  ＡＶ機器２を梱包する梱包材３に梱包を解いた後のＡＶ機器２のケーブル６を巻き付けるようにしたＡＶ機器の梱包材コードリールであって、梱包材３の外周にケーブル６を巻き付けるための溝３ａが形成され、この梱包材３における溝３ａに対して約９０度の位置にケーブル６の端部近傍部分６ｂを入れ込んで止めるための切り溝３ｂが穿設されている。【選択図】  図４
2006111309.tif 000002
【特許請求の範囲】
【請求項１】
ＡＶ機器を梱包する梱包材に梱包を解いた後にＡＶ機器のケーブルを巻き付けるようにしたＡＶ機器の梱包材コードリールであって、前記梱包材の外周にケーブルを巻き付けるための溝が形成され、この梱包材における前記溝に対して約９０度の位置に前記ケーブルの端部近傍部分を入れ込んで止めるための切り溝が穿設されていることを特徴とするＡＶ機器の梱包材コードリール。
【請求項２】
電化製品を梱包する梱包材に梱包を解いた後に電化製品のケーブルを巻き付けるようにした電化製品の梱包材コードリールであって、前記梱包材の外周にケーブルを巻き付けるための溝が形成されていることを特徴とする電化製品の梱包材コードリール。
【請求項３】
前記梱包材における前記溝に対して約９０度の位置に前記ケーブルの端部近傍部分を入れ込んで止めるための切り溝が穿設されていることを特徴する請求項２に記載の電化製品の梱包材コードリール。
【発明の詳細な説明】
【技術分野】
【０００１】
本発明は、ＡＶ機器や電化製品における梱包材にケーブルを巻き付けるようにしたＡＶ機器の梱包材コードリール及び電化製品の梱包材コードリールに関するものである。
【背景技術】
【０００２】
従来、ＡＶ機器や電化製品におけるケーブルは、ケーブル自体を細長く巻いておくことが普通に行われているが、このケーブルが多いとこれらのケーブルの置き場所に困り、またケーブル同士が絡み合ってしまうという問題があった。更に、ＡＶ機器や電化製品を梱包する梱包材は破棄されてしまっていた。
【０００３】
第１の従来技術を図７、図８に示す。この従来の梱包用緩衝材の電源コード固定方法は、図７、図８に示すように、梱包用外箱１０４に内装される電気製品１０１を支持固定するための板状素材からなる緩衝材１０６に、糸巻き状の舌片形状にコード巻き部１１０を形成したものである。（例えば、特許文献１参照）。
【０００４】
ところが、これは電気製品１０１を梱包用外箱１０４に梱包するときに、電源コード１０２をコード巻き部１１０に巻き付けるものであって、梱包を解いた後に電源コードを巻き付けるものではなかった。
【特許文献１】実開昭６１−９７１７１号公報
【発明の開示】
【発明が解決しようとする課題】
【０００５】
本発明は上記従来の問題に鑑みてなされたものであって、梱包を解いた後の梱包材をケーブルを巻き付けるためのコードリールとして使用でき、ケーブルのたるみを吸収できるコードリールとして再利用することができ、資源の再使用ができるＡＶ機器の梱包材コードリール及び電化製品の梱包材コードリールを提供することを目的とする。
【課題を解決するための手段】
【０００６】
本発明は、上記課題を解決するために提案されたものであって、請求項１に記載の発明は、ＡＶ機器を梱包する梱包材に梱包を解いた後にＡＶ機器のケーブルを巻き付けるようにしたＡＶ機器の梱包材コードリールであって、前記梱包材の外周にケーブルを巻き付けるための溝が形成され、この梱包材における前記溝に対して約９０度の位置に前記ケーブルの端部近傍部分を入れ込んで止めるための切り溝が穿設されていることを特徴としている。
【０００７】
請求項２に記載の発明は、電化製品を梱包する梱包材に梱包を解いた後に電化製品のケーブルを巻き付けるようにした電化製品の梱包材コードリールにであって、前記梱包材の外周にケーブルを巻き付けるための溝が形成されていることを特徴としている。
【０００８】
請求項３に記載の発明は、前記梱包材における前記溝に対して約９０度の位置に前記ケーブルの端部近傍部分を入れ込んで止めるための切り溝が穿設されていることを特徴する請求項２に記載の電化製品の梱包材コードリール。
【発明の効果】
【０００９】
請求項１に記載の発明によれば、ＡＶ機器の梱包を解いた後に、この梱包に使用されていた梱包材をコードリールとして再利用することができる。しかも、梱包材の外周の溝にケーブルが巻かれるので、このケーブルが外れることがない。また、ケーブルの端部近傍部分を梱包材の溝に対して約９０度の位置に穿設された切り溝に入れ込むので、ケーブルを固定することができ、ケーブルのばらつきを防ぐことができる。更に資源の再使用ができる。
【００１０】
請求項２に記載の発明によれば、電化製品の梱包を解いた後に、この梱包に使用されていた梱包材をコードリールとして再利用することができる。しかも、梱包材の外周の溝にケーブルが巻かれるので、このケーブルが外れることがない。更に資源の再使用ができる。
【００１１】
請求項３に記載の発明によれば、ケーブルの端部近傍部分を梱包材の溝に対して約９０度の位置に穿設された切り溝に入れ込むので、ケーブルを固定することができ、ケーブルのばらつきを防ぐことができる。
【発明を実施するための最良の形態】
【００１２】
以下、本発明に係るＡＶ機器の梱包材コードリール及び電化製品の梱包材コードリールの実施の形態について、図を参照しつつ説明する。
【００１３】
図１は本発明の第１実施形態のＡＶ機器の梱包材コードリールを含むＡＶ機器を梱包から解いた状態の斜視図である。
【００１４】
図１に示すように、梱包箱１内には、ＡＶ機器２とこのＡＶ機器２を保護する梱包材３とリモコン４と電池５とケーブル６などが梱包されていたものである。梱包材３にはその外周に溝３ａが形成され、この溝３ａに対して約９０度の位置に切り溝３ｂが穿設されている。この梱包材３は後述する梱包材コードリールを構成するものである（以下、梱包材コードリール３と称する）。
【００１５】
図２は第１実施形態のＡＶ機器の梱包材コードリールの正面側から見た斜視図、図３は同コードリールの裏面側から見た斜視図である。
【００１６】
図２、図３に示すように、梱包材コードリール３にはそ外周に溝３ａが形成され、この溝ａに対して約９０度の位置に切り溝３ｂが穿設されている。溝３ａはその溝幅が比較的広く形成され、切り溝３ｂはその溝幅が狭く形成されている。この梱包材コードリール３には、ＡＶ機器２の隅部を入れるための各種の凹所３ｃが形成されており、これらの凹所３ｃに梱包時にＡＶ機器２の隅部が入り込んで、梱包時に梱包材コードリール３によってＡＶ機器が振動などから保護されるようになっている。
【００１７】
図４は同コードリールにケーブルを巻き付けて固定した状態の斜視図である。
【００１８】
図４に示すように、ケーブル６の長い中央部６ａは、梱包材コードリール３の溝３ａから内部に向けて巻き付けられている。また、ケーブル６の両端部近傍部分６ｂは、梱包材コードリール３の切り溝３ｂに押し込まれるように入れ込まれて固定されるようになっている。
【００１９】
この第１実施形態によれば、ＡＶ機器２の梱包を解いた後に、この梱包に使用されていた梱包材３をコードリールとして再利用することができる。しかも、梱包材３の外周の溝３ａにケーブル６が巻かれるので、このケーブル６が外れることがない。また、ケーブル６の端部近傍部分６ｂを梱包材６の溝に対して約９０度の位置に穿設された切り溝３ｂに入れ込むので、ケーブル６を固定することができ、ケーブル６のばらつきを防ぐことができる。更に資源の再使用ができる。
【００２０】
図５は第２実施形態のＡＶ機器の梱包材コードリールの斜視図である。
【００２１】
図５に示すように、この梱包材コードリール３Ａは、上記した第１実施形態の梱包材コードリール３とは別形状のものである。この梱包材コードリール３Ａは内側にも奥行き方向に溝３ｄが形成されている。外周にも溝３ａが形成され、これらの溝３ａ、３ｄに対して約９０度の位置に切り溝３ｂが内側から外側に向けて形成されている。
【００２２】
図６は同コードリールにケーブルを巻き付けて固定した状態の斜視図である。
【００２３】
図６に示すように、この梱包材コードリール３Ａにケーブル６を巻くには、外周の溝３ａから内側の溝３ｄにかけてケーブル６の長い中央部６ａが巻き付けられ、その両端部近傍部分６ｂは切り溝３ｂに押し込まれるように入れ込まれて固定されている。
【００２４】
この第２実施形態によれば、ＡＶ機器２の梱包を解いた後に、この梱包に使用されていた梱包材３Ａをコードリールとして再利用することができる。しかも、梱包材３Ａの外周の溝にケーブル６が巻かれるので、このケーブル６が外れることがない。また、ケーブル６の端部近傍部分６ｂを梱包材３Ａの溝３ａに対して約９０度の位置に穿設された切り溝３ｂに入れ込むので、ケーブル６を固定することができ、ケーブル６のばらつきを防ぐことができる。更に資源の再使用ができる。更に、内側の溝３ｄにケーブル６が巻かれるので、ケーブル６が外側に飛び出ることがなくて、外れることなく良好な状態でケーブル６を巻き付けることができる。
【００２５】
尚、上記した梱包材コードリールは、ＡＶ機器についてだけ説明したが、ＡＶ機器に限定されず、他の電化製品について適用できることは勿論である。
【図面の簡単な説明】
【００２６】
【図１】本発明の第１実施形態のＡＶ機器の梱包材コードリールを含むＡＶ機器を梱包から解いた状態の斜視図である。
【図２】第１実施形態のＡＶ機器の梱包材コードリールの正面側から見た斜視図である。
【図３】同コードリールの裏面側から見た斜視図である。
【図４】同コードリールにケーブルを巻き付けて固定した状態の斜視図である。
【図５】第２実施形態のＡＶ機器の梱包材コードリールの斜視図である。
【図６】同コードリールにケーブルを巻き付けて固定した状態の斜視図である。
【図７】従来の梱包用緩衝材の電源コード固定構造の梱包用外箱の開蓋状態を示す側面図である。
【図８】同固定構造におけるコードを巻き付けた状態の部分平面図である。
【符号の説明】
【００２７】
１          梱包箱
２          ＡＶ機器
３          梱包材コードリール（梱包材）
３Ａ        梱包材コードリール（梱包材）
３ａ        溝
３ｂ        切り溝
３ｃ        凹所
３ｄ        溝
４          リモコン
５          電池
６          ケーブル
６ａ        長い中央部
６ｂ        端部近傍部分
【図１】
2006111309.tif 000003
【図２】
2006111309.tif 000004
【図３】
2006111309.tif 000005
【図４】
2006111309.tif 000006
【図５】
2006111309.tif 000007
【図６】
2006111309.tif 000008
【図７】
2006111309.tif 000009
【図８】
2006111309.tif 000010